(57)【要約】【課題】画像形成装置において、種々のサイズの記録紙に対応可能なサイズ調節レバーの部品コストを低くして組み立ても必要ないようにし、製造コストを低減させる。【解決手段】画像形成装置の給紙トレイ１２は、筐体１０の下方に略水平に設けられている。給紙トレイ１２には、記録紙Ｐの、筐体１０前方の端部を記録紙Ｐのサイズに応じて位置決めするためのサイズ調節レバー１３が、筐体１０の前後方向にスライド自在に配置されている。サイズ調節レバー１３は、給紙トレイ１２にスライド自在に取り付けられるスライド部１３ａと、スライド部１３ａのスライド方向の一端に立設された突起部１３ｂとが一体成形されて構成されている。サイズ調節レバー１３は、給紙トレイ１２に載置される記録紙Ｐのサイズに応じて、突起部１３ｂが設けられた端部の向きを入れ替えて給紙トレイ１２に取り付けられることにより、記録紙Ｐの端部を位置決め可能である。【選択図】図４
2007197098.tif 000002
【特許請求の範囲】
【請求項１】
前面下部に開口部を有する筐体と、
前記筐体の下部に、略水平軸で回動自在に軸支され、略垂直となる位置に回動された状態で前記開口部を覆うと共に、略水平となる位置に回動された状態で上面に記録紙が略水平に載置される給紙トレイと、
前記給紙トレイに載置された記録紙を筐体後方側から上方に向け、筐体内部に搬送する記録紙搬送機構と、
前記給紙トレイに前後方向にスライド自在に設けられ、前記給紙トレイに載置された記録紙のサイズに応じて、その記録紙の搬送方向後端部を、記録紙の搬送方向とは反対方向に移動しないように位置決めするサイズ調節レバーと、
筐体内部に配置され、前記記録紙搬送機構により搬送される記録紙に画像を形成する画像形成部とを備えた画像形成装置であって、
前記サイズ調節レバーは、
前記給紙トレイと摺動するスライド部と、このスライド部の端部近傍の上面に立設され、前記記録紙の搬送方向後端部を位置決めする突起部とが一体成型されて構成されており、
前記給紙トレイに載置された記録紙のサイズに応じて、前記給紙トレイに、スライド方向に対する前記突起部の向きを変更して取り付け可能であることを特徴とする画像形成装置。
【請求項２】
記録紙が略水平に載置される給紙トレイと、
前記給紙トレイにスライド自在に設けられ、前記給紙トレイに載置された記録紙のサイズに応じて、その記録紙の端部を、記録紙が載置された状態から移動しないように位置決めするサイズ調節レバーと、
前記給紙トレイに載置された記録紙を筐体内部に搬送する記録紙搬送機構と、
筐体内部に配置され、前記記録紙搬送機構により搬送される記録紙に画像を形成する画像形成部とを備えた画像形成装置であって、
前記サイズ調節レバーは、
前記給紙トレイと摺動するスライド部と、このスライド部の上面に立設され、前記記録紙の端部を位置決めする突起部とが一体成型されて構成されており、
前記給紙トレイに載置された記録紙のサイズに応じて、前記給紙トレイに、スライド方向に対する前記突起部の向きを変更して取り付け可能であることを特徴とする画像形成装置。
【発明の詳細な説明】
【技術分野】
【０００１】
本発明は、給紙トレイに略水平に載置された記録紙を筐体内部に搬送し、その記録紙に画像を形成する画像形成装置に関する。
【背景技術】
【０００２】
レーザビームプリンタやインクジェットプリンタ等、記録紙に画像を形成する機能を有する画像形成装置のうち、比較的小型のものにおいては、記録紙を給紙トレイに略水平に載置しておき、載置された記録紙を一枚ずつ筐体内部に搬送して画像を形成している。
【０００３】
図５は、このような従来の画像形成装置の一例を示す。この画像形成装置８１は、筐体８１０の上部に、画像が形成された記録紙が排出される排紙部８１１を有しており、筐体８１０の前面下部に、給紙トレイ８１２を有している。給紙トレイ８１２は、軸支部８１２ａが筐体８１０に回動自在に軸支された状態で略水平に配置されており、給紙トレイ８１２の上面と筐体８１０の前面下方の開口部８１０ａの下面とで構成される載置面上に記録紙が載置される。記録紙が載置されていないときには、給紙トレイ８１２を回動させることにより筐体８１０の開口部８１０ａを塞ぐことができるように構成されている。この給紙トレイ８１２の左右略中央部にはサイズ調節レバー８１３が配置されている。サイズ調節レバー８１３は、図に示すように、給紙トレイ８１２に対してスライド自在に配されているスライド板８１３ａと、スライド板８１３ａに対してスライド自在に配されている突起部材８１３ｂとで構成されている。
【０００４】
この画像形成装置８１において、給紙トレイ８１２に載置された記録紙は、筐体８１０の後方に設けられた給紙機構（図示せず）により筐体８１０の内部に搬送される。そのため、記録紙は、給紙機構により搬送可能となるように、上述の載置面上の、筐体８１０の後方側に寄せた状態で載置される。このとき、記録紙は、サイズ調節レバー８１３により、記録紙が前方に移動しないように位置決めされた状態で載置される。これにより、給紙トレイ８１２に記録紙を複数枚載置して繰り返し画像形成動作を行うようなときにも、記録紙が前方に移動してしまい記録紙を適正に給紙できなくなってしまうことを防止している。
【０００５】
ここで、この画像形成装置８１では、サイズ調節レバー８１３がスライド板８１３ａと突起部材８１３ｂとの２部品で構成されているため、種々のサイズの記録紙に対応可能となっている。例えば、給紙トレイ８１２にＡ４サイズやリーガルサイズのような寸法が長い記録紙を載置するようなときには、スライド板８１３ａを給紙トレイ８１２の筐体８１０前面側にスライドさせると共に、突起部材８１３ｂを、スライド板８１３ａの筐体８１０前面側にスライドさせる。一方、例えば、給紙トレイ８１２にはがきサイズのような寸法が短い記録紙を載置するようなときには、スライド板８１３ａを給紙トレイ８１２の筐体８１０後面側にスライドさせると共に、突起部材８１３ｂを、スライド板８１３ａの筐体８１０後面側にスライドさせる。このように、突起部材８１３ｂをスライド板８１３ａに対してスライドさせることにより、突起部材８１３ｂの筐体８１０前後方向の移動幅を大きく確保して、給紙トレイ８１２に載置される種々のサイズの記録紙の端部を位置決め可能となるように構成されている。
【０００６】
しかしながら、この画像形成装置８１では、サイズ調節レバー８１３がスライド板８１３ａと突起部材８１３ｂとの２部品で構成されているため、１部品により構成されている場合と比べてサイズ調節レバー８１３の部品コストが高くなるという問題がある。また、画像形成装置８１の組み立て時に、この２部品をサイズ調節レバー８１３として組み立てる工程が必要であるため、組み立てに必要なコストが発生するという問題がある。これらのコストが増加すると、画像形成装置８１の製造コストが増加してしまう。
【０００７】
なお、特許文献１には、記録紙のサイズに応じて移動調整される左右のスライドガイド部材として同一形状の部品を用いた印字装置が記載されている。この印字装置は、スライドガイド部材として左右で同一形状の部品を用いることにより、部品コストを低減させたものである。また、特許文献２には、画像形成装置に用いられる給紙カセットに、記録紙の幅方向のガイド部材と給紙方向のガイド部材とを配置した用紙サイズ検出装置が記載されている。この装置は、ガイド部材の移動状態に応じて記録紙のサイズ情報を表す被検出部を設けることにより、記録紙のサイズ検出が可能な給紙カセットを安価に製造可能にしたものである。しかしながら、これらの特許文献１及び特許文献２には、上述の問題に対して有効な解決策は開示されていない。
【特許文献１】実開平１−１４９３４６号公報
【特許文献２】特開平５−９７２５２号公報
【発明の開示】
【発明が解決しようとする課題】
【０００８】
本発明は、上記問題点を鑑みてなされたものであり、種々のサイズの記録紙に対応可能なサイズ調節レバーの部品コストを低くすることができ、サイズ調節レバーの組み立ても必要なく、製造コストを低減させることが可能な画像形成装置を提供することを目的とする。
【課題を解決するための手段】
【０００９】
上記目的を達成するため請求項１の発明は、前面下部に開口部を有する筐体と、前記筐体の下部に、略水平軸で回動自在に軸支され、略垂直となる位置に回動された状態で前記開口部を覆うと共に、略水平となる位置に回動された状態で上面に記録紙が略水平に載置される給紙トレイと、前記給紙トレイに載置された記録紙を筐体後方側から上方に向け、筐体内部に搬送する記録紙搬送機構と、前記給紙トレイに前後方向にスライド自在に設けられ、前記給紙トレイに載置された記録紙のサイズに応じて、その記録紙の搬送方向後端部を、記録紙の搬送方向とは反対方向に移動しないように位置決めするサイズ調節レバーと、筐体内部に配置され、前記記録紙搬送機構により搬送される記録紙に画像を形成する画像形成部とを備えた画像形成装置であって、前記サイズ調節レバーは、前記給紙トレイと摺動するスライド部と、このスライド部の端部近傍の上面に立設され、前記記録紙の搬送方向後端部を位置決めする突起部とが一体成型されて構成されており、前記給紙トレイに載置された記録紙のサイズに応じて、前記給紙トレイに、スライド方向に対する前記突起部の向きを変更して取り付け可能であるものである。
【００１０】
請求項２の発明は、記録紙が略水平に載置される給紙トレイと、前記給紙トレイにスライド自在に設けられ、前記給紙トレイに載置された記録紙のサイズに応じて、その記録紙の端部を、記録紙が載置された状態から移動しないように位置決めするサイズ調節レバーと、前記給紙トレイに載置された記録紙を筐体内部に搬送する記録紙搬送機構と、筐体内部に配置され、前記記録紙搬送機構により搬送される記録紙に画像を形成する画像形成部とを備えた画像形成装置であって、前記サイズ調節レバーは、前記給紙トレイと摺動するスライド部と、このスライド部の上面に立設され、前記記録紙の端部を位置決めする突起部とが一体成型されて構成されており、前記給紙トレイに載置された記録紙のサイズに応じて、前記給紙トレイに、スライド方向に対する前記突起部の向きを変更して取り付け可能であるものである。
【発明の効果】
【００１１】
請求項１の発明によれば、サイズ調節レバーが、スライド部と、スライド部の端部近傍の上面に立設された突起部とが一体成型されており、給紙トレイに載置された記録紙のサイズに応じてスライド方向に対する突起部の向きを変更して取り付け可能であるので、種々のサイズの記録紙を位置決めすることが可能である。サイズ調節レバーは１つの部材で構成されているので、サイズ調節レバーの部品コストを低減させることが可能であり、サイズ調節レバーの組立作業も不要となる。従って、画像形成装置の製造コストを低減させることが可能になる。
【００１２】
請求項２の発明によれば、サイズ調節レバーが、スライド部と、スライド部上面に立設された突起部とが一体成型されて構成されており、給紙トレイに、スライド方向に対する突起部の向きを変更して取り付け可能である。そのため、上述と同様に、サイズ調節レバーを用いて、種々のサイズの記録紙を位置決めすることが可能である。サイズ調節レバーはスライド部と突起部とが１つの部材で構成されているため、上述と同様に、サイズ調節レバーの部品コストを低減させて組み立て作業も不要となり、画像形成装置の製造コストを低減させることが可能となる。
【発明を実施するための最良の形態】
【００１３】
以下、本発明の一実施形態について図面を参照して説明する。図１は、本実施形態に係る画像形成装置の一例を示す。この画像形成装置１は、例えばレーザビームプリンタであって、筐体１０の上部に設けられた排紙部１１と、筐体１０の下部に後述のように回動自在に設けられ、記録紙Ｐが載置される給紙トレイ１２とを有している。筐体１０の内部には、記録紙Ｐに画像を形成する画像形成部２と、給紙トレイ１２に載置された記録紙Ｐを筐体１０の内部の画像形成部２に搬送すると共に、画像形成部２により画像が形成された記録紙Ｐを排紙部１１上に排出する記録紙搬送機構３とが配されている。図１において、２点鎖線による矢印線は、この画像形成装置１の記録紙搬送経路の一例を示す。この画像形成装置１は、例えば外部のパーソナルコンピュータ等に接続されて、このパーソナルコンピュータ等から画像データ等が送信されることにより、記録紙Ｐにその画像データに基づいて画像を形成する機能等を有するものである。
【００１４】
画像形成部２は、例えば、電子写真方式により記録紙Ｐに画像を形成する。すなわち、画像形成部２は、例えば、感光体ドラムにレーザビームを照射してトナー像を形成させ、このトナー像を記録紙Ｐに転写させた後、ホットローラで記録紙Ｐを挟圧しながら加熱してそのトナー像を記録紙Ｐに定着させることにより画像を形成する。なお、画像形成部２の画像形成方式はこれに限られるものではなく、例えば、記録紙Ｐの搬送方向と略直交する方向にキャリッジを往復移動させながら、キャリッジから記録紙Ｐ上にインクを吐出する、いわゆるインクジェット方式により記録紙Ｐに画像を形成するように構成されているものであってもよい。
【００１５】
記録紙搬送機構３は、筐体１０の下方後方に設けられている給紙ローラ３ａ及び記録紙を給紙ローラ３ａに当接させるためのリフトトレイ３ｂと、筐体１０の上部に設けられ、画像が形成された記録紙Ｐを筐体１０の内部から排紙部１１上に排出する排紙ローラ３ｃ等を有している。これらの給紙ローラ３ａや排紙ローラ３ｃは、例えばモータ（図示せず）等により駆動力が与えられて回動する。リフトトレイ３ｂは、給紙ローラ３ａの回動に伴い変位する。すなわち、給紙トレイ１２上に載置された記録紙Ｐは、リフトトレイ３ｂの変位により、回動している給紙ローラ３ａに当接して、筐体１０の後方から筐体１０の内部に搬送されて給紙される。なお、記録紙Ｐの給紙方法はこれに限られるものではなく、例えば、給紙トレイ１２の上方に配された給紙ローラが給紙トレイ１２に向け変位して記録紙Ｐの上面に当接して回動することにより、給紙トレイ１２上に載置された記録紙Ｐを給紙するような構成であってもよい。
【００１６】
給紙トレイ１２は、図に示すように、筐体１０前面に開口した開口部１０ａの下部に、両端の軸支部１２ａにて、略水平軸で回動自在に軸支された状態で略水平に配置されている。本実施形態においては、給紙トレイ１２の上面と開口部１０ａの下方の平面とで構成される載置面上に、記録紙Ｐが略水平に載置される。記録紙Ｐが載置されていないときには、給紙トレイ１２を略垂直となる位置に回動させることにより筐体１０の開口部１０ａを塞ぐことができるように構成されている。この給紙トレイ１２の左右略中央部にはサイズ調節レバー１３が配置されている。また、開口部１０ａの下方の平面には、載置面上に載置される記録紙Ｐの両側面に配置可能に、記録紙ガイド１４が設けられている。すなわち、載置面上に載置された記録紙Ｐは、そのサイズに応じて、記録紙ガイド１４とサイズ調節レバー１３とで筐体１０の前方又は側方に移動しないように位置決めされた状態で、確実に記録紙搬送機構３により筐体１０の内部に搬送可能となるように載置される。
【００１７】
図２は、サイズ調節レバー１３を示す。サイズ調節レバー１３は、給紙トレイ１２に対して筐体１０の前後方向にスライド自在に配される略矩形板形状のスライド部１３ａと、スライド部１３ａの長手方向の一端近傍に立設される突起部１３ｂとで構成されている。本実施形態において、サイズ調節レバー１３は、スライド部１３ａと突起部１３ｂとが一体成型により形成されて１つの部材で構成されている。スライド部１３ａの両側端には、後述するように給紙トレイ１２のスライドレール１２ｃと滑合するスライド溝１３ｃが形成されている。スライド溝１３ｃの、スライド部１３ａの四隅近傍には、後述するように、給紙トレイ１２にスライド部１３ａを仮固定するための、スライド部１３ａの側方に向いた係合爪１３ｄがそれぞれ設けられている。このスライド部１３ａの、係合爪１３ｄよりも内側の位置には、それぞれ長手方向に沿ってスリット１３ｅが形成されており、係合爪１３ｄは、スライド部１３ａの幅方向中央側に撓み得るように形成されている。スライド部１３ａの上面の幅方向両側には、後述のように、給紙トレイ１２上でサイズ調節レバー１３の位置を記録紙Ｐのサイズに応じて調節するときの目安となるように、マーキング１３ｆが刻印されている。このマーキング１３ｆとしては、例えばリーガルサイズ、Ａ４サイズ、レターサイズ、Ｂ５サイズ、Ａ５サイズ、はがきサイズ等、給紙トレイ１２に載置され得る記録紙Ｐの種々のサイズのついてのものがそれぞれ所定の位置に設けられている。なお、このマーキング１３ｆは、刻印に限られず、例えば印刷等により印されていたり、又はステッカー等を貼り付けることにより設けられているものであってもよい。
【００１８】
このサイズ調節レバー１３は、給紙トレイ１２に、長手方向が筐体１０の前後方向となるように配される。本実施形態においては、サイズ調節レバー１３は、スライド部１３ａの、突起部１３ｂが立設された端部、突起部１３ｂが立設されていない端部のいずれの端部を筐体１０の前方に向けた状態でも、給紙トレイ１２に取り付け可能に構成されている。サイズ調節レバー１３の、給紙トレイ１２に取り付けられる向きは、給紙トレイ１２に載置される記録紙Ｐのサイズに応じて決められる。すなわち、本実施形態においては、例えば記録紙Ｐのサイズがレターサイズ以上であれば、サイズ調節レバー１３は、スライド部１３ａの突起部１３ｂが立設された端部が筐体１０の前方となるような向きで給紙トレイ１２に取り付けられる。また、例えば記録紙ＰのサイズがＢ５サイズ以下であれば、サイズ調節レバー１３は突起部１３ｂが立設されていないほうの端部が筐体１０の前方となるような向きで給紙トレイ１２に取り付けられる。
【００１９】
先ず、記録紙Ｐのサイズがレターサイズ以上であるときのサイズ調節レバー１３の配置について説明する。図３（ａ）、（ｂ）は、例えばサイズがＡ４サイズである記録紙Ｐａを載置するときの給紙トレイ１２及びサイズ調節レバー１３を示す。記録紙ＰａはサイズがＡ４サイズであるため、図３（ａ）に示すように、サイズ調節レバー１３は、スライド部１３ａの突起部１３ｂが突設されている端部が筐体１０の前方となるような向きで、給紙トレイ１２に配される。
【００２０】
サイズ調節レバー１３は、スライド溝１３ｃにスライドレール１２ｃが嵌まり込んで滑合するように給紙トレイ１２の前方から給紙トレイ１２の上面の凹部１２ｂに差し込まれ、給紙トレイ１２に取り付けられる。凹部１２ｂの深さ寸法はスライド部１３ａの厚みと略同寸法であり、サイズ調節レバー１３が取り付けられると、給紙トレイ１２の上面とスライド部１３ａの上面とが略同一面に揃った状態となる。そして、例えばＡ４サイズの記録紙Ｐａが載置されるときには、図３（ｂ）に示すように、サイズ調節レバー１３がスライド移動され、Ａ４サイズの記録紙Ｐａに応じた位置であることを示すマーキング１３ｆと、給紙トレイ１２上に形成された基準マーキング１２ｅとが一致するような位置にセットされる。このとき、係合爪１３ｄとスライドレール１２ｃの所定位置に設けられた切り欠き部１２ｄとが緩係合した状態となり、サイズ調節レバー１３がその位置からずれてしまわないようになっている。このように予めサイズ調節レバー１３が給紙トレイ１２に取り付けられた後、記録紙Ｐａが図の２点鎖線で示すように載置されると、記録紙Ｐａを筐体１０の内部に搬送して画像を形成することが可能となる。このとき、記録紙Ｐａは筐体１０の前方の端部が突起部１３ｂより位置決めされている状態となるので、給紙トレイ１２に記録紙Ｐを複数枚載置して繰り返し画像形成動作を行うようなときに給紙動作に伴い振動等が生じても、記録紙Ｐａが搬送方向の反対方向にずれて移動してしまうことがなく、確実に給紙動作が行われる。なお、サイズ調節レバー１３の給紙トレイ１２上での位置は、記録紙Ｐａが載置された後に調節されてもよい。
【００２１】
記録紙Ｐのサイズが、例えばリーガルサイズやレターサイズ等の大きいサイズであるときにも、サイズ調節レバー１３は、上述と同様にセットされる。すなわち、サイズ調節レバー１３は、このようなＡ４サイズのときと同様の向きで、Ａ４サイズのときの位置よりも給紙トレイ１２に対し前方又は後方にスライド移動され、その記録紙Ｐのサイズに応じた位置にセットされる。
【００２２】
次に、本実施形態において、記録紙Ｐのサイズが例えばＢ５サイズ以下であるときのサイズ調節レバー１３の配置について説明する。図４は、例えばサイズがはがきサイズである記録紙Ｐｂを載置するときの給紙トレイ１２及びサイズ調節レバー１３を示す。このとき、図に示すように、サイズ調節レバー１３は、スライド部１３ａの長手方向の両端部を上述とは互いに入れ替えて反対の向きとした状態で、給紙トレイ１２に差し込まれる。すなわち、例えばＡ４サイズの記録紙Ｐａを載置している状態からはがきサイズの記録紙Ｐｂを載置するように変更するときには、サイズ調節レバー１３は、図３（ｂ）に示すような状態から、スライド移動させて給紙トレイ１２から引き抜かれた後、長手方向の向きを逆方向にして、スライド方向に対する突起部１３ｂの向きを１８０度変更した状態で給紙トレイ１２に差し込んで取り付けられる。そして、上述と同様に、サイズ調節レバー１３は、はがきサイズの記録紙Ｐｂに応じた位置であることを示すマーキング１３ｆと基準マーキング１２ｅとが一致するような位置にスライド移動されて、係合爪１３ｄと切り欠き部１２ｄとが緩係合した状態でセットされる。このようにサイズ調節レバー１３がセットされた状態で、図４に示すように記録紙Ｐｂが配されることにより、記録紙Ｐｂの筐体１０の前側の端部が突起部１３ｂに位置決めされて、記録紙Ｐｂが搬送方向と反対方向に移動してしまうことが防止される。なお、記録紙Ｐのサイズが例えばＡ５サイズやＢ５サイズであるときには、サイズ調節レバー１３は、このようにスライド部１３ａの突起部１３ｂが立設されていない端部を筐体１０の前方に向けた状態で、はがきサイズの記録紙Ｐｂに対応した位置よりも筐体１０の前方となる所定の位置にセットされる。
【００２３】
このように、本実施形態においては、サイズ調節レバー１３を、給紙トレイ１２に載置された記録紙Ｐのサイズに応じて、筐体１０の前方となる向きを突起部１３ｂが立設された側の端部と立設されていない側の端部とを互いに入れ替えてスライド方向に対する突起部１３ｂの向きを変更して取り付けることにより、種々のサイズの記録紙Ｐを搬送方向の反対方向に移動しないように位置決めすることが可能である。サイズ調節レバー１３は、スライド部１３ａと突起部１３ｂとが１つの部材で一体成型されて構成されているので、図５に示すような従来の２つの部材で構成されたものと比較して、サイズ調節レバー１３の部品コストを低減させることが可能であり、サイズ調節レバー１３の組立作業も不要となる。従って、このようなサイズ調節レバー１３を用いることにより、画像形成装置１の製造コストを低減させることが可能になる。
【００２４】
なお、本発明は上記実施形態の構成に限定されるものではなく、発明の趣旨を変更しない範囲で適宜に種々の変形が可能である。例えば、給紙トレイ１２は、回動自在に設けられているものに限られるものではない。すなわち、記録紙Ｐが略水平に載置される給紙トレイ１２に、上述のようにスライド部１３ａと突起部１３ｂとが１つの部材からなるサイズ調節レバー１３を、そのスライド方向に対する突起部１３ｂの向きを変更して取り付けることにより、種々のサイズの記録紙Ｐに対応させるとともに、画像形成装置１の製造コストを低減させることが可能となる。
【図面の簡単な説明】
【００２５】
【図１】本発明の一実施形態に係る画像形成装置を示す斜視図。
【図２】同上装置のサイズ調節レバーを示す斜視図。
【図３】（ａ）は同上装置の給紙トレイに取り付けられるサイズ調節レバーの向きを説明する斜視図、（ｂ）は同装置の給紙トレイにＡ４サイズの記録紙を載置するときのサイズ調節レバーの位置を示す斜視図。
【図４】同上装置の給紙トレイにはがきサイズの記録紙を載置するときのサイズ調節レバーの位置を示す斜視図。
【図５】従来の画像形成装置を示す斜視図。
【符号の説明】
【００２６】
１  画像形成装置
２  画像形成部
３  記録紙搬送機構
１０  筐体
１２  給紙トレイ
１３  サイズ調節レバー
１３ａ  スライド部
１３ｂ  突起部
Ｐ，Ｐａ，Ｐｂ  記録紙
【図１】
2007197098.tif 000003
【図２】
2007197098.tif 000004
【図３】
2007197098.tif 000005
【図４】
2007197098.tif 000006
【図５】
2007197098.tif 000007